(57)【要約】    シェービング補助カートリッジ（１０）は、シェービング装置（１１）に連結するベース（１４）とベースに連結する本体（１２）を含む。本体は、シェービング補助準備剤の少なくとも一部を形成する。シェービング補助カートリッジは、本体とベースとの間の接合部において約８から約３０ポンドの離脱力を画定する。シェービング補助カートリッジの他の実施例は約０．２から２．０フットポンドの離脱エネルギーを画定する。シェービング補助カートリッジの他の実施例は、約０．０５から０．４０インチの範囲の衝撃抵抗を持つ本体を含む。シェービング補助カートリッジの他の実施例は、約０．００２から０．０４０ミリメータ／サイクルの範囲の磨耗率を持つ本体を含む。シェービング補助の他の実施例は、約０．２から４４．５ニュートンの範囲の硬度を持つ本体を含む。さらに、他の実施例において、シェービング補助カートリッジは、シェービング装置に連結するよう適合するベースとベースに連結する本体を含む。本体の少なくとも一部分は、植物油、獣脂、表面腐食ポリマー、又は少なくとも前述の２つの物質の複合物を鹸化又は中和した構成から形成される。【選択図】          図１
2006528538.tif 000002
【特許請求の範囲】
【請求項１】
シェービング装置に連結するよう適応したベースと、
前記ベースに連結する本体と、前記本体の少なくとも一部分がシェービング補助準備剤から形成し、
シェービング補助カートリッジが前記本体と前記ベースとの接合部分の離脱力を約８から約３０ｌｂｓの範囲で画定することを特徴とする、
シェービング補助カートリッジ。
【請求項２】
前記シェービング補助カートリッジが離脱エネルギーを約０．２から２．０ｆｔ．ｌｂｓの範囲で画定する、請求項１記載のシェービング補助カートリッジ。
【請求項３】
前記シェービング補助カートリッジが離脱エネルギーを約０．３から１．０ｆｔ．ｌｂｓの範囲で画定する、請求項１記載のシェービング補助カートリッジ。
【請求項４】
前記シェービング補助カートリッジが離脱エネルギーを約０．４から０．５３ｆｔ．ｌｂｓの範囲で画定する、請求項１記載のシェービング補助カートリッジ。
【請求項５】
前記本体が衝撃抵抗を約０．０５から０．４０ｉｎ．の範囲で画定する、請求項１記載のシェービング補助カートリッジ。
【請求項６】
前記本体が衝撃抵抗を約０．０８から０．３０ｉｎ．の範囲で画定する、請求項１記載のシェービング補助カートリッジ。
【請求項７】
前記本体が衝撃抵抗を約０．１０から０．２０ｉｎ．の範囲で画定する、請求項１記載のシェービング補助カートリッジ。
【請求項８】
前記本体が磨耗率を約０．００２から０．０４０ｍｍ／サイクルの範囲で画定する、請求項１記載のシェービング補助カートリッジ。
【請求項９】
前記本体が磨耗率を約０．００４から０．０３０ｍｍ／サイクルの範囲で画定する、請求項１記載のシェービング補助カートリッジ。
【請求項１０】
前記本体が磨耗率を約０．００８から０．０１６ｍｍ／サイクルの範囲で画定する、請求項１記載のシェービング補助カートリッジ。
【請求項１１】
前記本体が硬度を約０．２から４４．５Nの範囲で画定する、請求項１記載のシェービング補助カートリッジ。
【請求項１２】
前記本体が硬度を約０．５から２２．５Nの範囲で画定する、請求項１記載のシェービング補助カートリッジ。
【請求項１３】
前記本体が硬度を約４．０から１０．０Nの範囲で画定する、請求項１記載のシェービング補助カートリッジ。
【請求項１４】
前記シェービング補助カートリッジが前記本体と前記ベースの接合部分における離脱力を約８から約２６ｌｂｓ．の範囲で画定する、請求項１記載のシェービング補助カートリッジ。
【請求項１５】
前記シェービング補助カートリッジが前記本体と前記ベースの接合部分における離脱力を約１０から約２２ｌｂｓ．の範囲で画定する、請求項１記載のシェービング補助カートリッジ。
【請求項１６】
シェービング装置に連結するよう適応したベースと、
前記ベースに連結する本体と、前記本体の少なくとも一部分がシェービング補助準備剤から形成し、
シェービング補助カートリッジが離脱エネルギーを約０．２から約２．０ｆｔ．ｌｂｓの範囲で画定することを特徴とする、
シェービング補助カートリッジ。
【請求項１７】
前記本体が衝撃抵抗を約０．０５から０．４０ｉｎ．の範囲で画定する、請求項１６記載のシェービングカートリッジ。
【請求項１８】
前記本体が衝撃抵抗を約０．０８から０．３０ｉｎ．の範囲で画定する、請求項１６記載のシェービングカートリッジ。
【請求項１９】
前記本体が衝撃抵抗を約０．１０から０．２０ｉｎ．の範囲で画定する、請求項１６記載のシェービングカートリッジ。
【請求項２０】
前記本体が磨耗率を約０．００２から０．０４０ｍｍ／サイクルの範囲で画定する、請求項１６記載のシェービング補助カートリッジ。
【請求項２１】
前記本体が磨耗率を約０．００４から０．０３０ｍｍ／サイクルの範囲で画定する、請求項１６記載のシェービング補助カートリッジ。  
【請求項２２】
前記本体が磨耗率を約０．００８から０．０１６ｍｍ／サイクルの範囲で画定する、請求項１６記載のシェービング補助カートリッジ。  
【請求項２３】
前記本体が硬度を約０．２から４４．５Nの範囲で画定する、請求項１６記載のシェービング補助カートリッジ。
【請求項２４】
前記本体が硬度を約０．５から２２．５Nの範囲で画定する、請求項１６記載のシェービング補助カートリッジ。
【請求項２５】
前記本体が硬度を約４．０から１０．０Nの範囲で画定する、請求項１６記載のシェービング補助カートリッジ。
【請求項２６】
前記シェービング補助カートリッジが前記本体と前記ベースとの接合部分においての離脱力を約８から約２６ｌｂｓ．の範囲で画定する、請求項１６記載のシェービング補助カートリッジ。
【請求項２７】
前記シェービング補助カートリッジが前記本体と前記ベースとの接合部分においての離脱力を約１０から約２２ｌｂｓ．の範囲で画定する、請求項１６記載のシェービング補助カートリッジ。
【請求項２８】
前記シェービング補助カートリッジが離脱エネルギーを約０．３から１．０ｆｔ．ｌｂｓの範囲で画定する、請求項１６記載のシェービング補助カートリッジ。
【請求項２９】
前記シェービング補助カートリッジが離脱エネルギーを約０．４から０．５３ｆｔ．ｌｂｓの範囲で画定する、請求項１６記載のシェービング補助カートリッジ。
【請求項３０】
シェービング装置に連結するよう適応したベースと、
前記ベースに連結する本体と、前記本体の少なくとも一部分がシェービング補助準備剤から形成し、
前記本体が前記本体の衝撃抵抗を約０．０５から約０．４０ｉｎの範囲で画定することを特徴とする、
シェービング補助カートリッジ。
【請求項３１】
前記本体が磨耗率を約０．００２から０．０４０ｍｍ／サイクルの範囲で画定する、請求項３０記載のシェービング補助カートリッジ。
【請求項３２】
前記本体が磨耗率を約０．００４から０．０３０ｍｍ／サイクルの範囲で画定する、請求項３０記載のシェービング補助カートリッジ。
【請求項３３】
前記本体が磨耗率を約０．００８から０．０１６ｍｍ／サイクルの範囲で画定する、請求項３０記載のシェービング補助カートリッジ。
【請求項３４】
前記本体が硬度を約０．２から４４．５Nの範囲で画定する、請求項３０記載のシェービング補助カートリッジ。
【請求項３５】
前記本体が硬度を約０．５から２２．５Nの範囲で画定する、請求項３０記載のシェービング補助カートリッジ。
【請求項３６】
前記本体が硬度を約４．０から１０．０Nの範囲で画定する、請求項３０記載のシェービング補助カートリッジ。
【請求項３７】
前記シェービング補助カートリッジが前記本体と前記ベースとの接合部分においての離脱力を約８から約２６ｌｂｓ．の範囲で画定する、請求項３０記載のシェービング補助カートリッジ。
【請求項３８】
前記シェービング補助カートリッジが前記本体と前記ベースとの接合部分においての離脱力を約１０から約２２ｌｂｓ．の範囲で画定する、請求項３０記載のシェービング補助カートリッジ。
【請求項３９】
前記シェービング補助カートリッジが離脱エネルギーを約０．３から１．０ｆｔ．ｌｂｓの範囲で画定する、請求項３０記載のシェービング補助カートリッジ。
【請求項４０】
前記シェービング補助カートリッジが離脱エネルギーを約０．４から０．５３ｆｔ．ｌｂｓの範囲で画定する、請求項３０記載のシェービング補助カートリッジ。
【請求項４１】
前記本体が衝撃抵抗を約０．０８から０．３０ｉｎ．の範囲で画定する、請求項３０記載のシェービング補助カートリッジ。
【請求項４２】
前記本体が衝撃抵抗を約０．１０から０．２０ｉｎ．の範囲で画定する、請求項３０記載のシェービング補助カートリッジ。
【請求項４３】
シェービング装置に連結するよう適応したベースと、
前記ベースに連結する本体と、前記本体の少なくとも一部分がシェービング補助準備剤から形成し、
前記本体が磨耗率を約０．００２から約０．０４０ｍｍ／サイクルの範囲で画定することを特徴とする、
シェービング補助カートリッジ。
【請求項４４】
前記本体が硬度を約０．２から４４．５Nの範囲で画定する、請求項４３記載のシェービング補助カートリッジ。
【請求項４５】
前記本体が硬度を約０．５から２２．５Nの範囲で画定する、請求項４３記載のシェービング補助カートリッジ。
【請求項４６】
前記本体が硬度を約４．０から１０．０Nの範囲で画定する、請求項４３記載のシェービング補助カートリッジ。
【請求項４７】
前記シェービング補助カートリッジが前記本体と前記ベースとの接合部分においての離脱力を約８から約２６ｌｂｓ．の範囲で画定する、請求項４３記載のシェービング補助カートリッジ。
【請求項４８】
前記シェービング補助カートリッジが前記本体と前記ベースとの接合部分においての離脱力を約１０から約２２ｌｂｓ．の範囲で画定する、請求項４３記載のシェービング補助カートリッジ。
【請求項４９】
前記シェービング補助カートリッジが離脱エネルギーを約０．３から１．０ｆｔ．ｌｂｓの範囲で画定する、請求項４３記載のシェービング補助カートリッジ。
【請求項５０】
前記シェービング補助カートリッジが離脱エネルギーを約０．４から０．５３ｆｔ．ｌｂｓの範囲で画定する、請求項４３記載のシェービング補助カートリッジ。
【請求項５１】
前記本体が衝撃抵抗を約０．０８から０．３０ｉｎ．の範囲で画定する、請求項４３記載のシェービング補助カートリッジ。
【請求項５２】
前記本体が衝撃抵抗を約０．１０から０．２０ｉｎ．の範囲で画定する、請求項４３記載のシェービング補助カートリッジ。
【請求項５３】
前記本体が磨耗率を約０．００４から０．０３０ｍｍ／サイクルの範囲で画定する、請求項４３記載のシェービング補助カートリッジ。
【請求項５４】
前記本体が磨耗率を約０．００８０から０．０１６ｍｍ／サイクルの範囲で画定する、請求項４３記載のシェービング補助カートリッジ。
【請求項５５】
シェービング装置に連結するよう適応したベースと、
前記ベースに連結する本体と、前記本体の少なくとも一部分がシェービング補助準備剤から形成し、
前記本体が硬度を約０．２から約４４．５Ｎの範囲で画定することを特徴とする、
シェービング補助カートリッジ。
【請求項５６】
前記シェービング補助カートリッジが前記本体と前記ベースとの接合部分においての離脱力を約８から約２６ｌｂｓ．の範囲で画定する、請求項５５記載のシェービング補助カートリッジ。
【請求項５７】
前記シェービング補助カートリッジが前記本体と前記ベースとの接合部分においての離脱力を約１０から約２２ｌｂｓ．の範囲で画定する、請求項５５記載のシェービング補助カートリッジ。
【請求項５８】
前記シェービング補助カートリッジが離脱エネルギーを約０．３から１．０ｆｔ．ｌｂｓの範囲で画定する、請求項５５記載のシェービング補助カートリッジ。
【請求項５９】
前記シェービング補助カートリッジが離脱エネルギーを約０．４から０．５３ｆｔ．ｌｂｓの範囲で画定する、請求項５５記載のシェービング補助カートリッジ。
【請求項６０】
前記本体が衝撃抵抗を約０．０８から０．３０ｉｎ．の範囲で画定する、請求項５５記載のシェービング補助カートリッジ。
【請求項６１】
前記本体が衝撃抵抗を約０．１０から０．２０ｉｎ．の範囲で画定する、請求項５５記載のシェービング補助カートリッジ。
【請求項６２】
前記本体が磨耗率を約０．００４から０．０３０ｍｍ／サイクルの範囲で画定する、請求項５５記載のシェービング補助カートリッジ。
【請求項６３】
前記本体が磨耗率を約０．００８から０．０１６ｍｍ／サイクルの範囲で画定する、請求項５５記載のシェービング補助カートリッジ。
【請求項６４】
前記本体が硬度を約０．５から２２．５Nの範囲で画定する、請求項５５記載のシェービング補助カートリッジ。
【請求項６５】
前記本体が硬度を約４．０から１０．０Nの範囲で画定する、請求項５５記載のシェービング補助カートリッジ。
【請求項６６】
前記シェービング補助準備剤が磨耗率を約０．００２から０．０４０ｍｍ／サイクルの範囲で画定する、シェービング補助準備剤からなるシェービング補助。
【請求項６７】
前記シェービング補助準備剤が磨耗率を約０．００４から０．０３０ｍｍ／サイクルの範囲で画定する、請求項６６記載のシェービング補助。
【請求項６８】
前記シェービング補助準備剤が磨耗率を約０．００８から０．０１６ｍｍ／サイクルの範囲で画定する、請求項６６記載のシェービング補助。
【請求項６９】
シェービング装置に連結するよう適応したベースと、
前記ベースに連結する本体と、前記本体の少なくとも一部分がシェービング補助準備剤から形成し、
前記シェービング準備剤が合成洗剤、グリセリン、表面腐食ポリマー、植物油又は獣脂から鹸化又は中和された構成物、又は前記の少なくとも２つの物質の複合物からなる、
シェービング補助カートリッジ。
【請求項７０】
前記シェービング補助準備剤が、界面活性剤、スキンケア成分、吸収剤、結合剤、剥離剤、抗菌剤、エモリエント剤、湿潤剤、保湿剤、スキンコンディショニング剤、育毛抑制剤、エッセンシャルオイル、植物抽出物、酸化防止剤、炎症抑制剤、収れん剤、刺激抑制剤、ビタミン、脱毛剤、薬剤、少なくも前述の２つの物質の複合物からなる、
請求項６９記載のシェービング補助カートリッジ。
【請求項７１】
前記シェービング補助準備剤が香料からなる、請求項７０記載のシェービング補助カートリッジ。
【請求項７２】
前記シェービング補助準備剤が着色剤からなる、請求項７０記載のシェービング補助カートリッジ。
【請求項７３】
前記界面活性剤が、イソステアロイル乳酸ナトリウム、イソステアリン酸アンモニウム、ＤＥＡミリスチン酸塩、アルキルグリセリルスルホン酸塩、ラウレス−１６、少なくとも２つの前述の物質の複合物からなる、
請求項７０記載のシェービング補助カートリッジ。
【請求項７４】
前記界面活性剤が９ｗｔ．％までの量からなる、請求項７０記載のシェービング補助カートリッジ。
【請求項７５】
前記界面活性剤が７．５ｗｔ．％までの量からなる、請求項７０記載のシェービング補助カートリッジ。
【請求項７６】
前記界面活性剤が６ｗｔ．％までの量からなる、請求項７０記載のシェービング補助カートリッジ。
【請求項７７】
前記スキンコンディショニング剤が、アロエベラ、ジメジコーン、アラントイン、スクロースココエート、オレイルラノリン、チオ尿素、カカオバター、酢酸トコフェロール、ＰＰＧ−３３、ウンデシス−３、はちみつ、藻、又は少なくとも２つの前述の物質の複合物からなる、
請求項７０記載のシェービング補助カートリッジ。
【請求項７８】
前記スキンコンディショニング剤が１４ｗｔ．％までの量からなる、請求項７０記載のシェービング補助カートリッジ。
【請求項７９】
前記スキンコンディショニング剤が８ｗｔ．％までの量からなる、請求項７０記載のシェービング補助カートリッジ。
【請求項８０】
前記スキンコンディショニング剤が２ｗｔ．％までの量からなる、請求項７０記載のシェービング補助カートリッジ。
【請求項８１】
前記吸収剤が、カオリン、チョーク、タルク、ケイ酸、木の粉末、塩化ナトリウム、シクロデキストリン、又は少なくとも２つの前述の物質の複合物からなる、
請求項７０記載のシェービング補助カートリッジ。
【請求項８２】
前記吸収剤が９ｗｔ．％までの量からなる、請求項７０記載のシェービング補助カートリッジ。
【請求項８３】
前記吸収剤が５ｗｔ．％までの量からなる、請求項７０記載のシェービング補助カートリッジ。
【請求項８４】
前記吸収剤が３ｗｔ．％までの量からなる、請求項７０記載のシェービング補助カートリッジ。
【請求項８５】
前記香料が２ｗｔ．％までの量からなる、請求項７１記載のシェービング補助カートリッジ。
【請求項８６】
前記香料が１．５ｗｔ．％までの量からなる、請求項７１記載のシェービング補助カートリッジ。
【請求項８７】
前記香料が１ｗｔ．％までの量からなる、請求項７１記載のシェービング補助カートリッジ。
【請求項８８】
前記着色剤が、二酸化チタン、マンガンバイオレット、酸化亜鉛、ウルトラマリン、グリーン３、オレンジ４、又は少なくとも２つの前述の物質の複合物からなる、
請求項７２記載のシェービング補助カートリッジ。
【請求項８９】
前記着色剤が６ｗｔ．％までの量からなる、請求項７２記載のシェービング補助カートリッジ。
【請求項９０】
前記着色剤が４ｗｔ．％までの量からなる、請求項７２記載のシェービング補助カートリッジ。
【請求項９１】
前記着色剤が１ｗｔ．％までの量からなる、請求項７２記載のシェービング補助カートリッジ。
【請求項９２】
前記合成洗剤、前記グリセリン、前記表面腐食ポリマー、植物油又は獣脂から鹸化又は中和された前記構成物、又は前記の少なくとも２つの物資の複合物が、７５ｗｔ．％から１００ｗｔ．％までの量からなる
請求項６９記載のシェービング補助カートリッジ。
【発明の詳細な説明】
【技術分野】
【０００１】
関連出願の相互参照
本願は、２０００年２月１６日に同時係属出願されたＯｒｌｏｆｆ等による湿式シェービング組立品と題する米国特許出願０９／５０５,４０８、及び２００３年２月１４日に出願されたＰｅｎｎｅｌｌａ等による剃刀組立体と題する米国特許出願１０／３６７,２５５に関し、双方の内容は参照によって本明細書に組み込まれる。
【０００２】
本願は、２００３年５月１６日に出願された米国仮特許６０／４７１,０３７に基づく優先権を主張する。
【０００３】
発明の分野
本発明は、シェービング補助カートリッジに係わり、特にシェービング補助カートリッジで使用するシェービング補助の構成に関する。
【背景技術】
【０００４】
安全剃刀は、典型的に、再利用可能なハンドルに搭載される使い捨て剃刀カートリッジ、又は、ハンドル及び単一の使い捨て型に統合されたカートリッジを含む。大部分の剃刀カートリッジは、フレーム、少なくとも１枚の剃刀刃、及び、シェービング動作を促進するためにフレームに取り付けられたシェービング補助物質の細長い片状部を含む。シェービング補助物質は皮膚上の剃刀刃の移動を容易にし、及び／又は皮膚の除毛を促進する。シェービング補助物質は、潤滑剤、抗力低減剤、脱毛剤、洗浄剤、薬剤又は同等の物等を含むが、これに限定されるわけでない。
【０００５】
大部分の安全剃刀はシェービング準備剤とともに使用するために設計されている。シェービング準備剤（例えば、シェービングクリーム、ジェル又は同等の物）は、皮膚の状態を調整し、柔らかくし、さらに剃る毛を柔らかくするために、皮膚に塗布される。概して、準備剤は、シェービング動作中に除去されるか、又はシェービング動作が完了し皮膚を洗い流すまで、皮膚にとどまっている。
【０００６】
従来のパッケージ化したシェービング準備剤には、毛深い表面をシェービングする際に利点があるが、その使用に幾つかの欠点がある。例えば、シャワーでシェーブする際には、シェービング準備剤が皮膚の表面から洗い流されるので、従来の準備剤を使用するのが困難である。さらに、脚といった広い部分をシェーブする際には、その部分全体に塗るために、大量のシェービング補助準備剤を必要とするかもしれない。シェービング補助準備剤を塗布するには時間を要し、両手を使用するプロセスとなる可能性がある。
【０００７】
時折遭遇する他の問題点として、シェービング補助準備剤が、典型的に、剃刀と別にパッケージされていることである。したがって、シャワーの際に、剃刀とともにシェービング補助準備剤を携えていくことを気に留める必要がある。さらに、旅行の際にも、シェービング補助準備剤を鞄に詰め込む必要があり、荷物が嵩張り、荷物の重量が増す要因となる。
【発明の開示】
【発明が解決しようとする課題】
【０００８】
以上の点を鑑みて、本発明の一般的な目的は、従来技術に付随した問題点を解決し改良するシェービング補助カートリッジを提供することである。
【課題を解決するための手段】
【０００９】
本発明は、一態様において、シェービング装置に連結するベースを含むシェービング補助カートリッジである。本体はベースに連結し、シュービング補助準備剤の少なくとも一部を形成する。ここで使用されるように、用語「シェービング補助準備剤」はシェービング補助準備剤とシェービング補助物質との複合物を含む。接合部分でベースから本体を離す要因となる張力は、ここでは「離脱力」として定義され、約８から３０ポンドの範囲である。この力が及ぼす過程及び測定される方法については、下記の「発明を実施するための最良の形態」にて記述される。
【００１０】
離脱力は本発明の幾つかの相違する特徴の内の一つであり、シェービング補助カートリッジを特徴付けるのに使用される。本発明のシェービング補助カートリッジを特徴付ける他の特徴として、「離脱エネルギー」が挙げられる。離脱エネルギーは、ベースから少なくとも本体の一部分を離すのに必要な動的力の尺度である。本発明の本体は、約０．２から２．０フットポンドの離脱エネルギーを備える。このエネルギーを測定する方法については、下記の「発明を実施するための最良の形態」にて記述される。
【００１１】
上述の機械的性質とは異なり、本発明を特徴付けるもう一つの機械的性質として、衝撃抵抗がある。衝撃抵抗は、変形に対抗する物質の抵抗の尺度である。好ましくは、変形の受容レベルは、これは衝撃抵抗であるが、約０．０５から０・４０インチとすべきである。この抵抗を測定する方法については、下記の「発明を実施するための最良の形態」にて記述される。
【００１２】
本発明のシェービング補助準備剤は、約０．００２から０．０４０ミリメータ／サイクルの磨耗率を備える。磨耗率は、侵食状況に対抗するシェービング補助の抵抗により定義される。この磨耗率が測定される方法及び用語「サイクル」については、下記の「発明を実施するための最良の形態」にて記述される。
【００１３】
好ましくは、本体は、その一部分はシェービング補助準備剤から形成される。シェービング補助準備剤は、表面腐食ポリマー、合成洗剤、超脂肪物質、グリセリン、植物油又は獣脂から鹸化又は中和された構成物、又は前述の少なくとも２つの物資の複合物からなる。
【発明の効果】
【００１４】
本発明の一つの利点として、シェービング補助準備剤がシュービング動作過程において必要となるときに適用できることである。シェービング過程（例えば、シャワー中）にシェービング補助準備剤を適用することにより、途中で洗い流される可能性を最小限度に抑えることができる。シェービング補助準備剤は刃先のすぐ手前に塗布されるので、潤滑性を最大に保つことができ、心地よい剃感を達成することできる。
【００１５】
本発明の他の利点として、シェービング補助準備剤をシャワー中に使用できることである。特に、シェービング補助準備剤は、それが洗い流される前にシャワー環境での使用に耐えうるよう構成される。
【００１６】
本発明のシェービング補助準備剤のもう一つの利点として、シェービング補助準備剤が長時間にわたって、さらに時折厳しい環境となる状況で構造的完全性を保つような機械的性質を備えることである。
【発明を実施するための最良の形態】
【００１７】
図１乃至３を参照すると、一般的に参照番号１１として指定された剃刀組立体と共に使用するためのシェービング補助カートリッジ１０は、ベース１４に連結するシェービング補助本体１２を含む。シェービング補助本体１２は開口１６を含み、その開口の中には、剃刀カートリッジ１８がシェービング補助本体と離れて配置される。シェービング補助本体１２は接触面２０を含み、接触面はシェービング操作の間毛深い表面と接触する。図示された実施例において、シェービング補助本体１２は、剃刀カートリッジ１８の周囲を取り囲み、剃刀カートリッジ１８から離れて配置され、実質的に長円形の形状を有する。しかしながら、本発明は、本発明の広範な範囲を逸脱することなく、円形、長方形等の実質的にいかなる幾何学的な形状をとることが可能であり、この点において限定されない。図３に示されるように、シェービング補助本体１２は、前方部２１及び後方部２３からなり、前方部２１は剃刀カートリッジ１８の前縁から分離されるが相対的な位置で配置され、後方部２３もまた後縁から分離されるが相対的に位置で配置される。前方部２１は及び後方部２１は円形又は他の形状とすることが可能である。
【００１８】
図４乃至７に示すように、ベース１４は、シェービング補助カートリッジ１０が剃刀組立体１１（図１）に連結するための形体２２を有する剛構造を含む。形体２２は、タブ、フランジ等のシェービング補助カートリッジが剃刀組立体に機械的に接続するような形体を含む。特に、図４及び図５は複数のタブ２４を持つベース１４を示す。図６は、開口２７を持つ複数のフランジ２６を有するベース１４を示す。図７は複数の溝付きのフランジ２８を持つベース１４を示す。シェービング補助カートリッジ１０を剃刀組立体に連結する働きをする形体２２のタイプ及び構成は、手元で適用するよう変化する。
【００１９】
さらに、図４乃至７を参照すると、ベース１４はシェービング補助本体１２をベース１４に連結する働きをする形体３０を含む。シェービング補助本体１２をベース１４に連結する形体３０は、例えば一つ以上の開口３２、突起部３３、及び／又はくぼみ３５を含み、シェービング補助物質が、形成作業の間その内部及び周辺を流れる。開口３２、突起部３３及び／又はくぼみ３５は、次のように構成及び配置されるのが、好ましい。シェービング補助カートリッジ１０の形成の過程において、シェービング補助本体１２及びベース１４の双方は、ベース１４内部の開口３２、突起物３３、及び／又はくぼみ３５の内部及び周辺に配置された固化シェービング補助物質により、機械的及び接着式の双方により接合する。ベース１４は、射出形成等の手法による熱可塑性物質で形成されていることが望ましい。しかしながら、本発明は、金属、熱硬化性物質又は複合物等の他の物質を使用することができ、この点において限定されない。
【００２０】
図１乃至３を参照すると、シェービング補助本体１２の好ましい実施例は、潤滑性で、皮膚洗浄及び／又はコンディショニングの特徴を持つ侵食性のシェービング補助準備剤からなる。シェービング補助本体１２の基本的な構成は、植物油、獣脂、ベースを形成する鹸化又は中和された構成物、ベース及び合成界面活性剤との複合物、石鹸をベースとしない合成洗剤、前述の構成の複合物等よりなり得る。超脂肪物質は、ココナッツ酸又は他の脂肪酸に関して、通常使用される量より多くの量を含む（２５重量パーセントより多い）。用語「侵食性」とは、ここにおいて、水の流れ又は磨耗によるシェービング補助物質の磨耗性を意味する。
【００２１】
シェービング補助本体１２の一つの実施例では、シェービング補助準備剤は、植物油、獣脂、又は同様のもの、又は鹸化又は中和された前述の物質の混合物からなるベースを持つ複合物である。植物油又は獣脂の鹸化又は中和は、ベースを生成するグリセロール及び脂肪酸塩を生成する。好ましい構成として、約７５重量パーセント（ｗｔ．％）から約１００ｗｔ．％の鹸化又は中和されたベースからなり、不透明、半透明、透明な状態にある。生成される典型的な脂肪酸塩として、最大約２２炭素原子を持つカルボン酸ナトリウムを含む。
【００２２】
シェービング補助本体１２の他の実施例では、シェービング補助準備剤は、合成洗剤、グリセリン、表面腐食ポリマー、又は少なくとも前述の２つの物資の複合物からなるベースを有する構成物である。好ましい構成として、約７５から約１００ｗｔ．のベースからなり、不透明、半透明、透明な状態にある。
【００２３】
シェービング本体１２の他の実施例では、シェービング補助準備剤は、合成洗剤、グリセリン、表面腐食ポリマー、又は少なくとも前述の２つの物資の複合物及び鹸化又は中和から生じる植物油及び／又は獣脂からなるベースを有する複合物である。好ましい構成として、約７５から約１００ｗｔ．のベースからなり、不透明、半透明、透明な状態にある。
【００２４】
どのような実施例においても、構成バランスは、多様なスキンケア成分、結合剤、吸収剤、その他の添加剤を含む。ベースに付加されるスキンケア成分は、構成を強化するためであり、限定はされないが、界面活性剤、スキン栄養剤（柔軟化粧品、潤滑油、湿潤剤、保湿剤、コンディショナー、及び同様のもの）、発泡剤、発毛抑制剤、植物抽出物、酸化防止剤、抗菌剤、抗炎症薬、収れん剤、抗刺激剤、脱毛剤、薬剤、ピーリング剤（ヘチマ、海草、オートミール、軽石、アプリコット種、及び同様のもの）等を含む。スキンケア成分の典型的な実施例として、限定はされないが、ナトリウム塩又はカリウム塩（乳酸、塩化物、スルホン酸塩、及び同様のもの）、ビタミン、ビタミン複合体、ココエート、金属酸化物、油（例  カカオバター）、アロエベラを含む。吸収剤は、好ましくは、粘度、粘度ベースの複合物、チョーク、タルク、シリカ、又は同様のものである。付加される粘度として、ベントナイト、カオリン、前述の粘度の複合物及び同様のものを含む。    
【００２５】
構成の一つの実施例として、ベースを生成するために植物油が鹸化される。構成は、さらに、少なくとも他の一つの界面活性剤、少なくとも一つのスキンコンディショニング剤、少なくとも一つの吸収剤からなり得る  界面活性剤の例として、イソステアロイル乳酸ナトリウム、イソステアリン酸アンモニウム、ＤＥＡミリスチン酸塩、アルキルグリセリルスルホン酸塩、少なくとも２つの前述の物質からなるラウレス−１６複合物又は同様のものがあり、９ｗｔ．％までの量、好ましくは７．５ｗｔ．％までの量、さらに好ましくは６ｗｔ．％までの量を持つ。スキンコンディショニング剤の例として、アロエベラ、ジメジコーン、アラントイン、スクロースココエート、オレイルラノリン、チオ尿素、カカオバター、酢酸トコフェロール、ＰＰＧ−３３、ウンデシス−３、はちみつ、藻、少なくとも２つの前述の物質からなる複合物、又は同様のものがあり、１４ｗｔ．％までの量、好ましくは８ｗｔ．％までの量、さらに好ましくは２ｗｔ．％までの量を持つ。吸収剤の例として、カオリン、チョーク、タルク、ケイ酸、木の粉末、塩化ナトリウム、シクロデキストリン、少なくとも２つの前述の物質からなる複合物又は同様のものがあり、９ｗｔ．％までの量、好ましくは５ｗｔ．％までの量、さらに好ましくは３ｗｔ．％までの量を持つ。多様な界面活性剤、スキンコンディショニング剤、吸収剤、着色剤、香料が示され説明されているが、当業者によって知られる他の物質により代替及び／又は置換することが可能であり、本発明はこの点において限定されない。
【００２６】
上記の構成の一つの実施例は、着色剤として使用される染料又は顔料に対し敏感ではない皮膚を持つユーザに適している。したがって、構成は、少なくとも一つの着色剤からなる。着色剤には、例えば二酸化チタン、マンガンバイオレット、酸化亜鉛、ウルトラマリン（ウルトラマリンブルー４）、オレンジ４、グリーン３、少なくとも２つの前述の物質からなる複合物又は同様のものがあり、６ｗｔ．％までの量、好ましくは４ｗｔ．％までの量、さらに好ましくは１ｗｔ．％までの量を持つ。しかしながら、本発明の広範な範囲を逸脱することなく、着色剤は前述した物資以外のものに代替することが可能であり、本発明はこの点において限定されない。
【００２７】
さらに、香料は構成に付加することができる。香料は構成に望ましい香りを与える着臭剤であり、他の複合物の構成の望ましくない香りを隠すのに用いることができる。香料に対して敏感でない皮膚を持つユーザに対する一つの実施例として、構成は少なくとも一つの香り成分からなり、２ｗｔ．％までの量、好ましくは１．５ｗｔ．％までの量、さらに好ましくは１ｗｔ．％までの量を持つ。
【００２８】
構成の実施例では、機械的性質は、一定の磨耗及び強度がシェービング補助本体に作用するにかかわらず、通常の使用に耐えうるように設定される。さらに、機械的性質は、シェービング補助本体１２に一定の乱用に対し耐え、シェービング補助本体に多大なダメージを生じないよう設定されることが望ましい。したがって、構成の機械的性質は、少なくとも一部分が、構成の硬度、シェービング補助本体１２をベース１４から離脱させる抗張力、耐衝撃性の構成、耐水性の構成により定義される。
【００２９】
構成の硬度（耐変形性の構成）は、デュロメータ硬度テスト方法（例えば、ＡＳＴＭ  Ｄ  ２２４０  ゴムの性質の標準テスト方法−デュロメータ硬度）により決定される。一つの典型的なテスト方法として、構成のサンプルが適切なテスト装置上に搭載又は設置され、構成サンプルの表面にテストヘッドが接触するようにする。硬度は、テストヘッド上の又はテストヘッドによる圧力、テストヘッドの移動等の多様なパラメータから計算された値に基づいて得られる。適切なテスト装置はショア  インストラメント  オートマティック  オペレーティング  スタンド  モデル  ９０２がある。シェービング補助本体１２を製造する構成は、約０．２から４４．５ニュートン（Ｎ）の硬度、好ましくは約０．５から２２．５Ｎの硬度、さらに好ましくは約４．０から１０．０Ｎの硬度を有する。
【００３０】
シェービング補助本体１２をベース１４から離脱するのに必要な抗張力は、張力離脱テストにより決定される。このようなテストでは、シェービング補助カートリッジ１０は、ベース１４にしっかりと取り付けられている適切な装置に搭載される。キャリアに連結する少なくとも1枚の刃は、シェービング補助本体１２に挿入される。キャリアはベース１４の固定位置に対し移動が可能である。好ましくは、キャリアは、シェービング補助本体１２とベース１４との接合部により定義される面に対し実質的に直角の方向に平行移動することができることが望ましい。キャリアの移動に伴い、シェービング補助本体１２がベース１４から離脱するの必要な張力が測定される。適切な張力テスト装置として、Ｃｈａｔｉｌｌｏｎ  ＤＦＭ  １００  ＣＥ  フォースゲージ付き  Ｃｈａｔｉｌｌｏｎ  ＴＣＭ  ２０１  張力マシンがあり、顧客の保持固定具を有するよう調整される。フォースゲージは、ベース１４からシェービング補助本体１２を離脱するのに必要な力の大きさ測定する。シェービング補助本体１２がベース１４から離脱するのに必要な力を約８から約３０ポンド（ｌｂｓ．）、好ましくは約８から約２６ポンド、さらに好ましくは約１０から約２２ポンドの範囲にするのが望ましい。
【００３１】
シェービング補助本体１２を落下した際に、その構造上の統合を保持する能力は、構成を壊すのに必要なエネルギーを測定することにより決定される。そのエネルギーは、その発明の属する技術分野における通常の知識を有する者に対し、「離脱エネルギー」として知られている。構成を破壊するエネルギーを決定する装置の実施例として、振りアームテスト装置がある。振りアームテスト装置は、重りとしてハンマーを付けた振り子を用いる。ハンマーと振り子の重量が既知であり、ハンマーから振り子の支点までの長さが測定できるので、シェービング補助本体１２が固定して取り付けられた位置での所定の衝撃点におけるハンマーの力を計算することができる。衝撃点は、ダメージを最も受けやすい点、即ち前部と後部を接続するシェービング補助本体の部分として決められる。慣性前進力の方向において、シェービング補助本体１２の壁の厚さは、約０．２インチである。したがって、シェービング補助本体１２を少なくとも２つの部分に分離するエネルギーは、約０．２から約２．０フットポンド（ｆｔ．ｌｂｓ）であり、好ましくは約０．３から約１．０ｆｔ．ｌｂｓの範囲、さらにもっと好ましくは約０．４から約０．５３ｆｔ．ｌｂｓの範囲である。上記のテストを実施するのに有用である適切な振り子テスト装置として、Ｓａｔｅｃ  Ｓｙｓｔｅｍｓ，Ｉｎｃ．ＢＬＩ  Ｉｍｐａｃｔ  Ｔｅｓｔｅｒがある。
【００３２】
振り子テスト装置から決定できる要素として、構成の衝撃抵抗がある。テストの中で、破壊されない構成がある場合は、ハンマーの衝撃によって生じる変形の解析を行うことができる。結果（例えば、構成の表面がインデントされた時の距離）は線形ユニットで測定される。構成の衝撃抵抗（０．５３ｆｔ．ｌｂｓにおける）は、約０．０５から約０．４０ｉｎ．であり、好ましくは約０．０８から約０．３０ｉｎ．の範囲、さらにもっと好ましくは約０．１０から約０．２０ｉｎ．の範囲である。
【００３３】
構成の磨耗に対する抵抗度は、シェービング補助カートリッジ１０の耐用期間を示している。磨耗抵抗度は、織り目の写った表面上を流れる水により測定される。この織り目の写った表面とシェービング補助本体１２とが所定の温度の水槽に浸かり、シェービング操作をシェービング補助本体１２の磨耗によりシミュレートする。水槽内の水量は約０．０８ガロン／分（ｇｐｍ）であり、水温は約３８セ氏温度から約４２セ氏温度である。シェービング補助本体１２の磨耗は、織り目の写った表面によるシェービング補助本体１２の関与及び織り目の写った表面上を振動するシェービング補助本体１２の動作を提供する装置によって、生じる。織り目の写る表面は、好ましくは、表面仕上げナンバー３２マイクロインチ（Ｒａ）（約１５０グリッド）のステンレス・スティールパッドであるのが望ましい。織り目の写る表面上のシェービング補助本体１２の連続する一動作（前方及び後方）は１サイクルである。完全な１サイクルは、各々の方向（前方及び後方）に約６インチの移動である。重量により、シェービング補助本体１２に３００グラムの荷重をかける。シェービング補助本体１２の磨耗率は約０．００２から約０．０４０ミリメータ／サイクル（ｍｍ／サイクル）であり、好ましくは、約０．００４から約０．０３０ｍｍ／サイクルであり、もっと好ましくは、約０．００８から約０．０１６ｍｍ／サイクルである。
【００３４】
シェービング補助準備剤を製造する典型的な方法の例の一つとして、鹸化又は中和による合成がある。この典型例では、クラッチング処理が使用され、鹸化又は中和製品に加える際の第２段階として、各種の構成要素を混合する。クラッチング処理の後に、乾燥プロセスを行ない、水を除去する。その結果生じた乾燥物質は、ペレット化され融合処理の対象となる。融合処理において、追加構成要素が加えられ、最終的なペレット化した構成を製造する。
【実施例】
【００３５】
シェービング補助カートリッジのシェービング補助準備剤は、植物油から鹸化されたベースにより提供される。ベースは、界面活性剤、スキンコンディショニング剤、吸収剤、着色剤及び香料を混合することにより生成する。その結果生じたシェービング補助準備の構成は下記のとおりである
【表１】
2006528538.tif 000003
【００３６】
本発明は、その詳細な実施例に関して明らかにされ説明されているが、当業者によって理解されるように、本発明の多様な変更及び代用は、本発明の範囲を逸脱することなくなされる。さらに、本発明の本質的な範囲から逸脱することなく、修正は本発明の教示内容の特定の状況又は物質になされる。したがって、本発明は上記の開示された特定の実施例に限定されるべきでなく、添付された特許請求の範囲の全ての実施例を含めている。例えば、上記の記載はシェービング補助カートリッジを対称としているが、当業者によって理解されるように、上述の装置の側面はシェービング補助カートリッジの他の物品に適用することができる。
【図面の簡単な説明】
【００３７】
【図１】本発明のシェービング補助カートリッジを含む剃刀組立体の正面図である。
【図２】剃刀カートリッジが配置する開口を定義するシェービング補助内のシェービング補助カートリッジの斜視図である。
【図３】シェービング補助準備剤が離散的要素であり、剃刀カートリッジの前面及び背面に隣接し、離れた状態で配置されるシェービング補助カートリッジの斜視図である。
【図４】図２で示されたベースの斜視図である。
【図５】シェービング補助カートリッジのベースの斜視図である。
【図６】シェービング補助カートリッジのベースの斜視図である。
【図７】シェービング補助カートリッジのベースの斜視図である。
【図１】
2006528538.tif 000004
【図２】
2006528538.tif 000005
【図３】
2006528538.tif 000006
【図４】
2006528538.tif 000007
【図５】
2006528538.tif 000008
【図６】
2006528538.tif 000009
【図７】
2006528538.tif 000010
【国際調査報告】
2006528538.tif 000011
2006528538.tif 000012
2006528538.tif 000013
2006528538.tif 000014
2006528538.tif 000015